(57)【要約】【課題】貯蔵室内に設けられた貯蔵容器の前面開口部を閉塞する扉の開閉を繰り返しても安定して貯蔵容器と扉との間をシールすることができ、しかも、使い勝手もよい冷蔵庫を提供する。【解決手段】貯蔵室２２と、貯蔵室２２内に収納された前面に開口部を有する容器６０と、前後方向に移動可能に設けられ容器６０の開口部を閉塞する扉６６と、容器６０の開口部を閉塞する状態に扉６６を保持する扉保持機構１００と、扉６６に弾性部材１４２を連結して扉６６を後方へ引き込み容器６０の開口部を閉塞する引き込み機構１３０とを備え、扉保持機構１００が扉６６の保持を解除する位置より前方において引き込み機構１３０が、扉６６と弾性部材１４２との連結を解除する。【選択図】        図１
2015117837.tif 000002
【特許請求の範囲】
【請求項１】
貯蔵室と、
前記貯蔵室内に収納された前面に開口部を有する容器と、
前後方向に移動可能に設けられ前記容器の開口部を閉塞する扉と、
前記容器の開口部を閉塞する状態に前記扉を保持する扉保持機構と、
前記扉に弾性部材を連結して前記扉を後方へ引き込み前記容器の開口部を閉塞する引き込み機構とを備え、
前記扉保持機構が前記扉の保持を解除する位置より前方において前記引き込み機構が、前記扉と前記弾性部材との連結を解除する冷蔵庫。
【請求項２】
前記引き込み機構は、前記扉の後方移動の途中で前記弾性部材が前記扉と連結する請求項１に記載の冷蔵庫。
【請求項３】
前記扉保持機構は、前記容器及び前記扉の一方に設けられた保持部材と、前記容器及び前記扉の他方に設けられ挿入体とを備え、
前記保持部材は、間隔をあけて配置された一対の挟持片と、一対の前記挟持片を弾性支持する一対の支持部とを備え、
前記扉の閉扉時に前記挿入体が一対の前記挟持片の間に挿入され、一対の前記挟持片が前記挿入体を挟持する請求項１又は２に記載の冷蔵庫。
【請求項４】
前記弾性部材は、前記挿入体が一対の前記挟持片に当接する前に前記扉と連結して、前記挿入体を一対の前記挟持片の間に挿入するのに必要な力より大きな力で前記扉を後方へ引き込む請求項３に記載の冷蔵庫。
【請求項５】
前記弾性部材がバネである請求項１〜４のいずれか1項に記載の冷蔵庫。
【請求項６】
前記引き込み機構は、前記容器の左右側面に配設されている請求項１〜５のいずれか1項に記載の冷蔵庫。
【請求項７】
前記引き込み機構は、前記容器の底面に配設されている請求項１〜６のいずれか1項に記載の冷蔵庫。
【発明の詳細な説明】
【技術分野】
【０００１】
本発明の実施形態は、冷蔵庫に関するものである。
【背景技術】
【０００２】
冷蔵庫に貯蔵される食品などの貯蔵品の劣化要因として、空気中に存在する酸素による酸化がある。そこで、食品を貯蔵する空間の酸素を低減させることで、貯蔵品の酸化を抑えて貯蔵品の鮮度を維持することができる冷蔵庫が知られている（例えば、特許文献１，２参照）。
【０００３】
このような冷蔵庫は、貯蔵室内に収納された貯蔵容器と、貯蔵容器内の酸素を減少させる減酸素装置とを備え、貯蔵容器に設けられた開口部から貯蔵品を収納した後、当該開口部を扉で閉塞した状態で減酸素装置を作動させて貯蔵容器内の酸素を減少させる。
【先行技術文献】
【特許文献】
【０００４】
【特許文献１】特開２００４−２１８９２４号公報
【特許文献２】特開平９−２８７８６９号公報
【発明の概要】
【発明が解決しようとする課題】
【０００５】
上記のような冷蔵庫では、効率的に貯蔵容器内の酸素を減少させるために貯蔵容器と扉との間にシール部材を設けて貯蔵容器の密閉性が高められているが、貯蔵容器に貯蔵品を出し入れする毎に扉が開閉されることから、扉の開閉を繰り返しても安定して貯蔵容器と扉との間をシールすることが求められている。
【０００６】
そこで、貯蔵室内に貯蔵容器が設けられた冷蔵庫において、貯蔵容器の前面開口部を閉塞する扉の開閉を繰り返しても安定して貯蔵容器と扉との間をシールすることができ、しかも、使い勝手のよい冷蔵庫を提供することを目的とする。
【課題を解決するための手段】
【０００７】
本実施形態は、貯蔵室と、前記貯蔵室内に収納された前面に開口部を有する容器と、前後方向に移動可能に設けられ前記容器の開口部を閉塞する扉と、前記容器の開口部を閉塞する状態に前記扉を保持する扉保持機構と、前記扉に弾性部材を係止して前記扉を後方へ引き込み前記容器の開口部を閉塞する引き込み機構とを備え、前記扉保持機構が前記扉の保持を解除する位置より前方において前記引き込み機構が、前記扉と前記弾性部材との係止を解除する。
【図面の簡単な説明】
【０００８】
【図１】一実施形態に係る冷蔵庫の断面図である。
【図２】冷蔵室の要部を示す正面図である。
【図３】図２のＡ−Ａ断面図である。
【図４】図２の要部拡大図である。
【図５】扉保持機構の正面図である。
【図６】図５のＢ−Ｂ線断面図である。
【図７】扉保持機構の動きを示す図である。
【図８】（ａ）はスライド容器を引き出した状態における貯蔵容器及びスライド容器の要部を拡大した側面図、（ｂ）はその上面図、（ｃ）は（ａ）のＣ−Ｃ断面図である。
【図９】（ａ）は弾性部材が扉に係止する位置における貯蔵容器及びスライド容器の要部を拡大した側面図、（ｂ）はその上面図、（ｃ）は（ａ）のＤ−Ｄ断面図である。
【図１０】（ａ）はスライド容器を貯蔵容器内に収納する動作を示す貯蔵容器及びスライド容器の要部を拡大した側面図、（ｂ）はその上面図、（ｃ）は（ａ）のＥ−Ｅ断面図である。
【図１１】（ａ）は扉保持機構が扉を保持する位置における貯蔵容器及びスライド容器の要部を拡大した側面図、（ｂ）はその上面図、（ｃ）は（ａ）のＦ−Ｆ断面図である。
【図１２】扉と弾性部材との連結が解除される位置における貯蔵容器及びスライド容器の要部を拡大した側面図である。
【発明を実施するための形態】
【０００９】
以下、本発明の１実施形態について図面を参照して説明する。
【００１０】
本実施形態に係る冷蔵庫１０は、図１に示すように、外郭を形成する外箱と貯蔵空間を形成する内箱との間に断熱材を配設した前面に開口するキャビネット１２を備える。このキャビネット１２内部は、断熱仕切壁１４によって上方の冷蔵空間２０と下方の冷凍空間４０とに区画されている。
【００１１】
冷蔵空間２０は、冷蔵温度（例えば、２〜３℃）に冷却される空間であって、内部がさらに仕切板２１によって上下に区画され、仕切板２１の上方に複数段の載置棚２３を設けた冷蔵室２２が設けられ、仕切板２１の下方に引き出し式の収納容器２５を配置する野菜室２４が設けられている。
【００１２】
冷蔵室２２は、仕切板２１と最下段の載置棚２３とで上下に仕切られた空間が、２つの縦仕切壁２６、２７によって冷蔵庫幅方向に３つの空間に区画されている（図２参照）。
【００１３】
具体的には、縦仕切壁２６が冷蔵室２２の一方側壁（左側壁）に寄せて配設され、縦仕切壁２７が冷蔵庫幅方向中央部付近に配設されている。冷蔵室２２の一方側壁と縦仕切壁２６に挟まれた空間には、製氷用水を貯水する給水タンク２８が配設されている。
【００１４】
縦仕切壁２６と縦仕切壁２７に挟まれた空間には、引き出し式の収納容器２９が上下２段に重ねて配設され、縦仕切壁２６と縦仕切壁２７の対向面に設けられたレール（不図示）によって収納容器２９の側面を摺動可能に支持している。
【００１５】
縦仕切壁２７と冷蔵室２２の他側壁（右側壁）に挟まれた空間には、貯蔵容器６０及び減酸素装置７０が設けられている。
【００１６】
野菜室２４の下方に配置した冷凍空間４０は、冷凍温度（例えば、−１８℃以下）に冷却される空間であって、比較的小容積の自動製氷機を備えた製氷室４２と小型冷凍室とが左右に併設され、その下方に冷凍室４６が設けられている。
【００１７】
冷蔵室２２の開口部は、キャビネット１２の一側部の上下に設けられたヒンジにより回動自在に枢支された冷蔵室扉２２ａにより閉塞されている。
【００１８】
野菜室２４、製氷室４２、小型冷凍室および冷凍室４６の開口部は、引き出し式扉２４ａ，４２ａ，４６ａにより閉塞されている。各引き出し式扉２４ａ，４２ａ，４６ａの裏面側に固着した左右一対の支持枠には、収納容器２５，４３，４７が保持されており、開扉動作とともに庫外に引き出されるように構成されている。
【００１９】
キャビネット１２の背面底部には、機械室５０が設けられ、冷凍サイクルを構成する圧縮機５１などが載置されている。この機械室５０の背面上部には、冷蔵庫１０の動作を制御する不図示の制御基板が設けられている。
【００２０】
冷蔵空間２０の背面には、蒸発器カバー１６とキャビネット１２の背面との間に蒸発器室１８が区画形成されており、蒸発器室１８の内に冷蔵用蒸発器５２と蒸発器樋３０と冷蔵用ファン５３が配設されている。
【００２１】
蒸発器室１８に設けられた冷蔵用蒸発器５２は、蒸発器室１８内の空気と熱交換してこれを冷却し、冷蔵用ファン５３の回転駆動によって冷蔵用蒸発器５２で生成された冷気を吹出口より冷蔵室２２及び野菜室２４に導入することで、冷蔵空間２０を所定温度に冷却する。冷蔵空間２０を冷却し終えた冷気は、吸込口から再び蒸発器室１８に戻され冷蔵用蒸発器５２と熱交換して冷却される。
【００２２】
蒸発器樋３０は、除霜運転時に冷蔵用蒸発器５２から生じる結露水を受け、その一部を給水ポンプ３６が給水ホース３７を介して給水装置８０へ給水し、残りを排水ホース３４を介して機械室５０内に設けられた蒸発皿５６へ供給する。
【００２３】
冷凍空間４０の背面には、蒸発器カバー１７とキャビネット１２の背面との間に蒸発器室１９が区画形成されており、蒸発器室１９の内に冷凍用蒸発器５４と冷凍用ファン５５が配設されている。冷凍用蒸発器５４は蒸発器室１９内の空気と熱交換して冷却し、冷凍用ファン５５の回転駆動によって冷凍用蒸発器５４で生成された冷気を吹出口より製氷室４２、小型冷凍室、および冷凍室４６に導入することで、冷凍空間４０を所定温度に冷却する。冷凍空間４０を冷却し終えた冷気は、吸込口から再び蒸発器室１９に戻され冷凍用蒸発器５４と熱交換して冷却される。
【００２４】
冷蔵用蒸発器５２及び冷凍用蒸発器５４は、機械室５０に設けられた圧縮機５１や凝縮器（不図示）や切替弁（不図示）とともに冷凍サイクルを構成し、圧縮機５１から吐出された冷媒によって冷却される。
【００２５】
このような構成の冷蔵庫１０において、縦仕切壁２７と冷蔵室２２の右側壁に挟まれた空間に設けられた貯蔵容器６０は、図１及び図３に示すように、前面が開口する直方体状の箱体からなり、内部に前後方向に引き出し可能に設けられたスライド容器６４が収納されている。貯蔵容器６０は、前面に設けられた開口部が、スライド容器６４の前板を兼ねた扉６６によって閉塞されると貯蔵容器６０の内部に密閉された空間が形成される。
【００２６】
貯蔵容器６０の左右の内側面には、前後方向に沿って延びる固定レール６７が設けられている。また、貯蔵容器６０の背面には、貯蔵容器６０内の酸素を減少させる減酸素装置７０が設けられている。
【００２７】
減酸素装置７０は、高分子電解質膜法を利用して貯蔵容器６０内の酸素を低減するものであり、減酸素ユニット７２と、減酸素ユニット７２の下方に配置された給水装置８０とを備え、冷蔵用蒸発器５２で発生した除霜水が、蒸発器樋３０から給水装置８０を介して減酸素ユニット７２に供給される。
【００２８】
そして、減酸素ユニット７２に供給された水は、減酸素ユニット７２内で気化して水蒸気となりアノード層で水素イオンに分解される。アノード層で生成した水素イオンは、カソード層において貯蔵容器６０内の酸素と反応して水を生成することで、貯蔵容器６０内の酸素を減少させる。
【００２９】
スライド容器６４は、上面に開口する箱体であり、その内部に食品等の貯蔵品を収納する空間が設けられている。
【００３０】
スライド容器６４は、左右両側面の後部に設けられたローラ６５が、貯蔵容器６０の内側に設けられた固定レール６７を摺動することで、貯蔵容器６０に対して前後方向に引出し可能となっている。
【００３１】
スライド容器６４の前面を構成する扉６６は、貯蔵容器６０の前面の開口部を全て覆う形状に設けられている。この扉６６の後面周囲にはガスケット６９が設けられており、扉６６を閉扉した場合に、ガスケット６９が貯蔵容器６０の前面開口部の周縁部から外方へ突出するフランジ部に当接する。これにより、ガスケット６９が貯蔵容器６０と扉６６との間をシールして、貯蔵容器６０の内部を密閉する。
【００３２】
貯蔵容器６０及びスライド容器６４には、引き込み機構１３０及び扉保持機構１００が上下に設けられており、引き込み機構１３０が扉６６を後方へ引き込んで閉扉した後、扉保持機構１００により閉扉状態が保持される。
【００３３】
扉保持機構１００は、図５〜図７に示すように、貯蔵容器６０及び扉６６の一方に設けられた保持部材１０１と、貯蔵容器６０及び扉６６の他方に設けられ挿入体１０２とを備え、扉６６の閉扉時に挿入体１０２が保持部材１０１に挟持されることで扉６６を保持する。
【００３４】
本実施形態では、貯蔵容器６０の外側に保持部材１０１を設け、扉６６に挿入体１０２を設ける場合について説明するが、扉６６に保持部材１０１を設け、貯蔵容器６０の外側に挿入体１０２を設けてもよい。また、本実施形態では、貯蔵容器６０の左右側部に扉保持機構１００を設ける場合について説明するが、貯蔵容器６０の上面部や底面部に設けてもよい。
【００３５】
なお、貯蔵容器６０の左右側部に設ける扉保持機構１００の構造は同一であるため、ここでは、貯蔵容器６０の右側部に設けた扉保持機構１００について説明し、左側部の扉保持機構１００の構成の説明を省略する。
【００３６】
保持部材１０１は、貯蔵容器６０の右側面の前側上部に取り付けられる本体１０３と、本体１０３より扉６６へ向けて前方に突出する一対の支持部１０４と、一対の支持部１０４の先端に取り付けられた挟持片１０５とを備える。
【００３７】
本体１０３は、図６に示すように、筒状の挿通部１０７を備え、この挿通部１０７に貯蔵容器６０の右側面から外方へ突出する取付ボス１０６が挿通される。取付ボス１０６は、貯蔵容器６０の右側面からの突出高さが挿通部１０７の軸方向の長さより大きく設けられており、挿通部１０７に取付ボス１０６を挿通すると取付ボス１０６が挿通部１０７より突出する。本体１０３の挿通部１０７に挿通された取付ボス１０６にはネジ１０８が螺合しており、これにより、ネジ１０８の頭部と貯蔵容器６０の右側面との間で本体１０３が取付ボス１０６の軸回りに回動可能に支持される。
【００３８】
一対の支持部１０４は、本体１０３の前面から貯蔵容器６０の右側面に沿って扉６６に向けて（つまり、前方に向けて）一体に突出している。一対の支持部１０４は、本体１０３側が前方に行くほど上下方向に離れるように広がり、先端側が互いにほぼ平行に前方へ突出する形状をなしており、上下方向の間隔が広がるように弾性変形可能に設けられている。一対の支持部１０４は、先端に挟持片１０５を取り付ける取付部１０４ａが設けられ、取付部１０４ａに取り付けられた挟持片１０５を弾性支持する。
【００３９】
一対の挟持片１０５は、取付部１０４ａに軸支されるローラからなり、貯蔵容器６０の右側面に沿って上下方向に間隔Ｓをあけつつ、貯蔵容器６０の右側面に垂直な回転軸１０５ａの周りに回転自在に一対の支持部１０４に設けられている。このローラからなる一対の挟持片１０５は、扉６６の開閉時に、一対の挟持片１０５の対向間隙１０５ｂに抜き差しされる挿入体１０２を案内する。
【００４０】
このような保持部材１０１は、付勢手段１０９によって挟持片１０５の対向方向（つまり、上下方向）の両側から弾性的に支持され、上下方向への移動が制限されている。
【００４１】
詳細には、付勢手段１０９は、本体１０３の上下面と間隔をあけて上下面に沿って延びる上下一対の弾性片１１０と、一対の弾性片１１０の外側に設けられた枠体１１１とから構成されている。
【００４２】
枠体１１１は、保持部材１０１の本体１０３の上方、下方、及び後方を取り囲むコの字状をなしており、本体１０３の前面から延びる一対の支持部１０４が、枠体１１１に設けられた前方の開口部１１１ａより扉６６へ向けて突出している。
【００４３】
一対の弾性片１１０は、一端が保持部材１０１の本体１０３に連結され、他端が膨らんだ球状の当接部１１０ａをなしている。一対の弾性片１１０は、内側（つまり、保持部材１０１の本体１０３側）に弾性変形し撓んだ状態で枠体１１１の内側に配置され、先端に設けられた当接部１１０ａが枠体１１１に当接することで、上下方向両側から保持部材１０１を付勢しながら弾性支持する。
【００４４】
これにより、保持部材１０１が付勢手段１０９以外から外力を受けていない状態では、図５に示すような一対の挟持片１０５の対向間隙１０５ｂが前方を向いて扉６６に設けられた挿入体１０２と対向する所定位置に保持される。また、保持部材１０１に付勢手段１０９以外の外力を受けて、保持部材１０１の本体１０３が取付ボス１０６の周りに回動することで、図７に示すように一対の挟持片１０５が上下方向に移動すると、弾性片１１０の付勢力が本体１０３を上記の所定位置に戻す力として作用する。
【００４５】
なお、保持部材１０１を上下方向両側から弾性支持する付勢手段１０９は、一対の挟持片１０５を弾性支持する一対の支持部１０４より弾性変形しやすく設けられており、一対の挟持片１０５に挿入体１０２が接触すると、一対の支持部１０４が弾性変形する前に付勢手段１０９の弾性片１１０が弾性変形して、一対の挟持片１０５の対向間隙１０５ｂが挿入体１０２に対向するように保持部材１０１の本体１０３が取付ボス１０６の周りに回動する。
【００４６】
挿入体１０２は、扉６６の側部から貯蔵容器６０に設けられた保持部材１０１に向けて後方へ突出し、扉６６の閉扉時に一対の挟持片１０５の対向間隙１０５ｂに挿入される。挿入体１０２は、先端側（後端側）に一対の挟持片１０５の間隔Ｓより幅広に設けられた幅広部１１２と、幅広部１１２の基端側（前端側）に幅広部１１２より幅狭の幅狭部１１３とを備える。
【００４７】
幅広部１１２の先端側には、先端に向かうほど細くなる先細部１１４が形成されている。幅狭部１１３は、幅広部１１２から基端側に向かうほど漸次幅狭になる傾斜部１１５と傾斜部１１５の基端側から一定の幅で延びる等幅部１１６とを備える。等幅部１１６は、一対の挟持片１０５の間隔Ｓとほぼ等しい幅に設けられ、等幅部１１６と幅広部１１２の間に設けられた傾斜部１１５は、一対の挟持片１０５の間隔Ｓより幅広に設けられている。等幅部１１６の基端側には、扉６６に向かうほど漸次幅広になる補強部１１７が形成されており、この補強部１１７に扉６６が連結されている。
【００４８】
このような構成の扉保持機構１００では、付勢手段１０９からの付勢力を受けて一対の挟持片１０５の対向間隙１０５ｂが前方を向き挿入体１０２と対向しているため、扉６６が開いた状態から閉扉されると、挿入体１０２の先細部１１４が、一対の挟持片１０５の対向間隙１０５ｂに挿入され対向間隙１０５ｂを押し広げるように一対の支持部１０４を弾性変形させることで、幅広部１１２を対向間隙１０５ｂに通過させて、挿入体１０２を一対の挟持片１０５の間に挿入する。
【００４９】
この時、ローラから構成された一対の挟持片１０５が、先細部１１４を摺動することで後方へ挿入体１０２を案内する。そして、一対の挟持片１０５は、幅広部１１２を乗り越えて、幅狭部１１３の傾斜部１１５を挟持する。
【００５０】
なお、本実施形態では、保持部材１０１の一対の挟持片１０５が上下方向に移動可能に設けられているため、閉扉時に挿入体１０２の位置が一対の挟持片１０５の対向間隙１０５ｂに対して上下方向にずれていても、挿入体１０２の先端の先細部１１４が、一対の挟持片１０５に接触して保持部材１０１の本体１０３を取付ボス１０６の周りに回動させて、一対の挟持片１０５の対向間隙１０５ｂに対向する。そのため、挿入体１０２を保持部材１０１の対向間隙１０５ｂにスムーズに挿入することができる。
【００５１】
傾斜部１１５は、上記のように幅広部１１２から基端側に向かうほど（つまり、前方に向かうほど）漸次幅狭に設けられているため、一対の挟持片１０５が傾斜部１１５を挟持すると、挿入体１０２を保持部材１０１側（後方）へ引き込む力が発生し、扉６６を後方へ引き込む。
【００５２】
引き込み機構１３０は、図８に示すように、スライド容器６４の扉６６に設けられたアーム１３２と、貯蔵容器６０に左右側面の下部に固定されたアーム保持部１３４とを備え、貯蔵容器６０の前面開口部を扉６６で閉塞する状態（閉扉状態）においてアーム保持部１３４に設けられた弾性部材１４２がアーム１３２後方へ引っ張ることで、スライド容器６４を貯蔵容器６０内に収納した状態で保持する。
【００５３】
なお、本実施形態では、図３及び図４に示すように、引き込み機構１３０を貯蔵容器６０の左右側部に設ける場合について説明するが、貯蔵容器６０の左右側部に換えて、あるいは、貯蔵容器６０の左右側部に加えて引き込み機構１３０を貯蔵容器６０の上下部に設けてもよい。また、貯蔵容器６０の左右側部に設ける引き込み機構１３０の構造は同一であるため、ここでは、貯蔵容器６０の右側部に設けた引き込み機構１３０について説明し、左側部の引き込み機構１３０の構成の説明を省略する。
【００５４】
アーム１３２は、扉６６に設けられたガスケット６９の外側から後方に向けて突出し、貯蔵容器６０の外側面に沿って配設されている。アーム１３２の後部には、下方に向けて陥没する凹部１３６が設けられている。この凹部１３６は、アーム１３２の後端及びアーム１３２の内側（つまり、アーム保持部１３４に対向する面）に開口している。凹部１３６の底面には、後方に行くほど低く傾斜した導入部１３７と、導入部１３７の前側に設けられた水平部１３８と、水平部１３８の前側に設けられた前方に行くほど上方へ傾斜したガイド部１３９とが連続して設けられている。ガイド部１３９の上方に後述する係止突起１４３が係止する係止凹部１４０が設けられている。
【００５５】
また、アーム１３２の下面には、内方に向かって突出するフランジ１３３が設けられており、扉６６の閉扉状態において、このフランジ１３３が、所定間隔をあけてアーム保持部１３４の下面に対向する。
【００５６】
アーム保持部１３４は、貯蔵容器６０の外側面に固定される直方体状のケース１４１と、ケース１４１内に収納され後端がケース１４１に固定されたつる巻バネからなる弾性部材１４２と、弾性部材１４２の前端部に取り付けられた係止突起１４３とを備える。
【００５７】
扉６６の閉扉状態においてアーム１３２と対向するケース１４１の外側面には、前後方向に沿って延びるガイド溝１４４が設けられており、係止突起１４３がガイド溝１４４を通ってケース１４１の外方へ突出している。
【００５８】
ケース１４１に設けられたガイド溝１４４は、前後方向に水平に延びる水平溝１４５と、水平溝１４５の前端に連続して設けられた前方に行くほど下方に傾斜する傾斜溝１４６と、傾斜溝１４６から下方に延びる保持溝１４７とから構成されており、保持溝１４７の下端面が、アーム１３２に設けられた凹部１３６の水平部１３８と上下方向の位置がほぼ等しい位置に設定されている。
【００５９】
このような構成において、図８に示すようなスライド容器６４を貯蔵容器６０から引き出した時には、引き込み機構１３０のアーム１３２及びアーム保持部１３４が前後方向に離隔し、扉保持機構１００の挿入体１０２及び保持部材１０１も前後方向に離隔している。また、引き込み機構１３０は、弾性部材１４２が前方に引き延ばされた状態で、弾性部材１４２の前端部に設けられた係止突起１４３が、ガイド溝１４４の保持溝１４７に係止している。
【００６０】
図８のようなスライド容器６４を貯蔵容器６０から引き出した状態から使用者がスライド容器６４を冷蔵庫後方にスライドさせて貯蔵容器６０内に収納すると、スライド容器６４の後方移動の途中で、例えば、扉６６が貯蔵容器６０の開口部を閉塞する位置より３０ｍｍ程度前方において、貯蔵容器６０に設けられたケース１４１から外方へ突出する係止突起１４３が、アーム１３２に設けられた凹部１３６に挿入され、凹部１３６の導入部１３７、水平部１３８及びガイド部１３９を順次摺動し、ガイド部１３９において係止突起１４３が上方へ押し上げられて係止凹部１４０に挿入される（図９参照）。係止突起１４３は、ガイド部１３９を摺動して上方へ押し上げられると、貯蔵容器６０のケース１４１に設けられたガイド溝１４４の保持溝１４７から傾斜溝１４６を摺動して水平溝１４５へ移動する。これにより、弾性部材１４２の前端部に取り付けられた係止突起１４３が、貯蔵容器６０のケース１４１に設けられたガイド溝１４４の保持溝１４７から外れて、アーム１３２に設けられた係止凹部１４０に係止し、扉６６と弾性部材１４２とを連結する。
【００６１】
扉６６と弾性部材１４２とが連結されると、弾性部材１４２の収縮力によって扉６６が後方へ引き込まれて後方へ移動する。
【００６２】
そして、扉６６が後方に移動すると、図１０に示すように、扉６６に設けられた挿入体１０２の先細部１１４が、貯蔵容器６０に設けられた保持部材１０１の一対の挟持片１０５の対向間隙１０５ｂに挿入され一対の挟持片１０５に当接する。
【００６３】
本実施形態では、弾性部材１４２の収縮力による扉６６を後方へ引き込む力が、一対の支持部１０４を弾性変形させて一対の挟持片１０５の間に挿入体１０２を挿入するのに必要な力より大きな力に設定されている。そのため、使用者がスライド容器６４を後方へ押し込むことなく、引き込み機構１３０の引き込み力だけで、図１１に示すように、挿入体１０２が一対の挟持片１０５の間に挿入され、幅狭部１１３の傾斜部１１５が一対の挟持片１０５で挟持される。
【００６４】
このように貯蔵容器６０の前面開口部をスライド容器６４の扉６６で閉塞した状態では、引き込み機構１３０の弾性部材１４２が扉６６を後方へ付勢しており、また、扉保持部機構１００の一対の挟持片１０５が挿入体１０２の傾斜部１１５を挟持して扉６６を後方へ引き込んでいるため、スライド容器６４が不用意に前方へ引き出されるのを防ぐことができる。
【００６５】
図１１に示すようなスライド容器６４が貯蔵容器６０内に収納され貯蔵容器６０の前面開口部を扉６６で閉塞する状態から、使用者がスライド容器６４を冷蔵庫前方に引き出すと、図１０に示すように、扉６６に設けられた挿入体１０２が一対の挟持片１０５の間から前方へ引き抜かれ、扉保持機構１００による扉６６の保持が解除される。
【００６６】
このように扉保持機構１００による扉６６の保持が解除されて状態では、アーム保持部１３４の係止突起１４３がケース１４１に設けられたガイド溝１４４の保持溝１４７に係止しており、弾性部材１４２が扉６６に連結されている。
【００６７】
そして、図１０より更にスライド容器６４を冷蔵庫前方へ引き出すと、アーム１３２に設けられた係止凹部１４０に係止する係止突起１４３が、弾性部材１４２を引き延ばしながらケース１４１に設けられたガイド溝１４４の水平溝１４５に案内され、スライド容器６４とともに前方へ引き出される。ガイド溝１４４により前方へ案内された係止突起１４３は、ケース１４１に設けられたガイド溝１４４によって下方へ案内され保持溝１４７に挿入されるとともに、扉６６のアーム１３２に設けられた凹部１３６の係止凹部１４０から外れて凹部１３６のガイド部１３９を通って水平部１３８へ移動する（図１２参照）。これにより、扉６６と弾性部材１４２との連結が解除され、貯蔵容器６０のケース１４１に設けられたガイド溝１４４の保持溝１４７に係止突起１４３が係止し、弾性部材１４２が引き延ばされた状態で保持され、引き込み機構１３０によるスライド容器６４の保持が解除され、スライド容器６４を前方へスムーズに引き出すことができるようになる。
【００６８】
以上の構成を備えた本実施形態の冷蔵庫１０では、扉６６を後方へ引き込み貯蔵容器６０の前面開口部を閉塞する引き込み機構１３０と、閉扉状態に扉６６を保持する扉保持機構１００とが設けられているため、簡易な操作で確実に貯蔵容器６０の前面開口部を安定して閉塞することができる。
【００６９】
しかも、扉６６を閉扉状態に保持する扉保持機構１００が扉６６の保持を解除する位置より冷蔵庫前方において、引き込み機構１３０が弾性部材１４２と扉６６との連結を解除するため、スライド容器６４を前方へ引き出し開扉する際に、扉保持機構１００が扉６６を後方へ引き込む力と、引き込み機構１３０が扉６６を後方へ引き込む力とが、一度に解放されず異なるタイミングで解放され、使用者に違和感を与えることなくスライド容器６４の前方へ引き出す開扉動作をスムーズに行うことができ、使い勝手を向上することができる。
【００７０】
また、引き込む機構１３０は、スライド容器６４の後方移動の途中で、弾性部材１４２の前端部に取り付けられた係止突起１４３が、アーム１３２に設けられた係止凹部１４０に係止し、扉６６と弾性部材１４２とを連結する。そのため、スライド容器６４は、前方に引き出した状態で弾性部材１４２に連結されておらず、前方に引き出された状態に維持され使い勝手がよい。
【００７１】
なお、本実施形態では、貯蔵容器６０を冷蔵室２２に設ける場合について説明したが、例えば、野菜室２４等のその他の貯蔵室に貯蔵容器６０を設けても良い。
【００７２】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００７３】
１０…冷蔵庫、２２…冷蔵室、６０…貯蔵容器、６３…フランジ部、６４…スライド容器、６５…ローラ、６６…扉、６７…固定レール、６９…ガスケット、１００…扉保持機構、１０１…保持部材、１０２…挿入体、１０３…本体、１０４…支持部、１０４ａ…取付部、１０５…挟持片、１０５ａ…回転軸、１０５ｂ…対向間隙、１０６…取付ボス、１０７…挿通部、１０８…ネジ、１０９…付勢手段、１１０…弾性片、１１０ａ…当接部、１１１…枠体、１１１ａ…開口部、１１２…幅広部、１１３…幅狭部、１１４…先細部、１１５…傾斜部、１１６…等幅部、１１７…補強部、１３０…引き込み機構、１３２…アーム、１３３…フランジ、１３４…アーム保持部、１３６…凹部、１３７…導入部、１３８…水平部、１３９…ガイド部、１４０…係止凹部、１４１…ケース、１４２…弾性部材、１４３…係止突起、１４４…ガイド溝、１４５…水平溝、１４６…傾斜溝、１４７…保持溝
【図１】
2015117837.tif 000003
【図２】
2015117837.tif 000004
【図３】
2015117837.tif 000005
【図４】
2015117837.tif 000006
【図５】
2015117837.tif 000007
【図６】
2015117837.tif 000008
【図７】
2015117837.tif 000009
【図８】
2015117837.tif 000010
【図９】
2015117837.tif 000011
【図１０】
2015117837.tif 000012
【図１１】
2015117837.tif 000013
【図１２】
2015117837.tif 000014